(57)【要約】【課題】  インタ−ネットを利用して携帯電話機に広告等の情報を表示させる情報提供システムを提供する。【解決手段】  広告等の情報と、この広告等の情報に対応して、少なくとも管理サーバをアクセスするためのＵＲＬ情報と広告主を識別する広告主識別情報とを含む２次元コードを掲載する広告媒体と、この２次元コードを撮像して管理サーバをアクセスする携帯電話機と、携帯電話機に表示するＷｅｂページ等を備えた広告主のサーバとから構成される情報提供システムである。管理サーバは、携帯電話機が管理サーバをアクセスすることにより取得した広告主識別情報に基づいて、広告主識別情報ごとにアクセス度数をカウントする。このアクセス累計度数が、予め設定したアクセス上限度数を越えた広告主への情報の提供が要求されると、管理サーバは、他の広告主のサーバにリンクを張ったバナー広告付きのＷｅｂページを、アクセスした携帯電話機に表示させるようにした携帯電話機を利用した情報提供システムである。【選択図】    図１
2006323798.tif 000002
【特許請求の範囲】
【請求項１】
広告主から依頼された広告等の情報と、前記広告等の情報に対応して少なくとも管理サーバのＵＲＬ情報と前記広告主を識別する広告主識別情報とを含む２次元コードを掲載する広告媒体と、前記２次元コードを撮像して前記管理サーバをアクセスすることが可能な携帯電話機と、前記携帯電話機に新たな広告等の情報を提供する前記広告主のサーバと、から構成される情報提供システムであって、
前記管理サーバは、前記携帯電話機が前記管理サーバをアクセスすることにより取得した前記広告主識別情報に基づいて、
前記広告主識別情報ごとに、前記管理サーバのアクセスをアクセス度数の累計度数として加算する広告主別アクセス度数カウント手段と、
前記取得した広告主識別情報に対応する前記広告主のＷｅｂサーバのＵＲＬにリンクさせて、新たな広告等の情報を、前記アクセスした前記携帯電話機に表示させる通常サイト表示手段と、
を備えていることを特徴とする携帯電話機を利用した情報提供システム。
【請求項２】
前記携帯電話機が前記管理サーバをアクセスしたときに取得した前記広告主識別情報に対応して加算された前記アクセス度数の累計度数が、予め設定されたアクセス上限度数を越えているときに前記管理サーバにより実行される手段であって、
前記管理サーバは、
前記アクセス度数の累計度数が前記アクセス上限度数を越えた広告主識別情報に対応する広告主のサーバのＵＲＬと、他の広告主のサーバのＵＲＬにリンクを張ったバナー広告付きのＷｅｂページを、前記アクセスした携帯電話機に表示させるバナー付きサイト表示手段を備えていることを特徴とする請求項１に記載の携帯電話機を利用した情報提供システム。
【請求項３】
前記管理サーバは、前記携帯電話機が前記管理サーバをアクセスしたときに取得した前記広告主識別情報に対応して加算された前記アクセス度数の累計度数が、予め設定されたアクセス上限度数を越えているときに前記管理サーバにより実行される手段であって、
前記管理サーバは、
前記アクセスした前記携帯電話機に、前記アクセス度数の累計度数が予め設定したアクセス上限度数を越えた広告主識別情報に対応する広告主を除いた他の広告主のサーバのＵＲＬに、リンクを張ったバナー広告付きＷｅｂページを表示させるバナー付きサイト表示手段を備えていることを特徴とする請求項１に記載の携帯電話機を利用した情報提供システム。
【請求項４】
前記管理サーバは、前記広告主識別情報ごとに加算された前記アクセス度数の累計度数が前記予め設定されたアクセス上限度数を越えるまでは、前記アクセス度数の累計度数に応じて、前記広告主識別情報に対応する広告主への課金を算出する課金算出手段を備えていることを特徴とする請求項１から請求項３のいずれかに記載の携帯電話機を利用した情報提供システム。
【請求項５】
前記管理サーバは、前記広告主識別情報ごとに前記予め設定したアクセス上限度数を登録したデータベースと、前記広告主のサーバから前記データベースに登録された前記アクセス上限度数を変更するためのＷｅｂページを備えていることを特徴とする請求項１から請求項３のいずれかに記載の携帯電話機を利用した情報提供システム。
【請求項６】
前記広告主のサーバのＵＲＬ、および前記他の広告主のサーバのＵＲＬは、ウェブログのＵＲＬであることを特徴とする請求項１から請求項３のいずれかに記載の携帯電話機を利用した情報提供システム。
【請求項７】
前記広告主のＷｅｂサーバのＵＲＬ、および前記他の広告主のサーバのＵＲＬは、動画像を配信するためのＵＲＬであることを特徴とする請求項１から請求項３のいずれかに記載の携帯電話機を利用した情報提供システム。
【請求項８】
前記管理サーバは、前記携帯電話機に表示された前記バナー広告付きＷｅｂページから前記他の広告主のサーバのＵＲＬがアクセスされると、
前記アクセス度数は、前記アクセスされた他の広告主のアクセス度数として加算して累計することを特徴とする請求項２または請求項３に記載の携帯電話機を利用した情報提供システム。
【請求項９】
前記２次元コードは、さらに、前記広告媒体を識別する広告媒体識別コードと、前記広告媒体の発行日と、前記広告媒体の発行元を識別する広告媒体発行元に関する情報の一つ以上を含んでいることを特徴とする請求項１に記載の携帯電話機を利用した情報提供システム。
【請求項１０】
前記広告媒体に掲載された前記２次元コードは、前記アクセスした前記携帯電話機に表示させる新たな広告等の情報の属性に応じて、カラー色で表示されていることを特徴とする請求項１に記載の携帯電話機を利用した情報提供システム。
【発明の詳細な説明】
【技術分野】
【０００１】  本発明は、インターネット接続機能と２次元コードの読み取り機能を備えた携帯電話機に、Ｗｅｂサーバから広告等の情報を提供するための情報提供システムに関するものである。
【背景技術】
【０００２】  近年、携帯電話機の技術発展に伴なって、携帯電話機は各種の用途に使用されるようになってきた。例えば、インターネット接続機能を備えた携帯電話機を用いてＷｅｂサーバをアクセスして、Ｗｅｂサーバから各種の情報を携帯電話機の画面に表示させることが実用化されている。また、２次元コードの撮像機能を備えた携帯電話機を用いて、印刷物にＷｅｂサーバのＵＲＬに関する情報を表したＱＲコード（登録商標）等の２次元コードを撮像して、この携帯電話機からＷｅｂサーバをアクセスして、このＷｅｂサーバが備えているＷｅｂページを携帯電話機の画面に表示させるシステムも実用化されている。【０００３】  携帯電話機を用いて２次元コードを撮像してＷｅｂサーバをアクセスすることにより、携帯電話機で各種の情報を取得するようなシステムとしては、既に多くの技術が提案されている。例えば、下記の特許文献に記載の発明が提案されている。【０００４】
【特許文献１】  特開２００２−１１１９０９号公報
【特許文献２】  特開２００３−２３３５４６号公報
【０００５】  特許文献１には、広告依頼主に対して宣伝効果を判断するデータを提供することを目的として、広告媒体に広告内容を識別するための広告内容識別情報及び接続情報を示す２次元コードを印刷し、携帯形通信端末でこの２次元コードを読み取ってサーバをアクセスすることにより２次元コードが示す広告内容識別情報をサーバに送信し、サーバは携帯形通信端末から送信された広告内容識別情報に基づいて新たな広告情報を携帯形通信端末に送信すると共に、広告内容識別情報に基づいて広告の効果を集計する情報提供サービスが記載されている。【０００６】  特許文献２には、携帯電話機から２次元コードを読み取って、２次元コードに含まれている広告主サーバのＷｅｂページがアクセスされると、広告主サーバは携帯電話機に情報を提供するようにしたコード情報を用いた情報提供システムが提案されている。
【発明の開示】
【発明が解決しようとする課題】
【０００７】  特許文献１および特許文献２に記載の発明は、広告媒体等の印刷物に表示されている２次元コードを携帯電話機により読み取って、広告主のサーバをアクセスし、このサーバが直接携帯電話機に情報を提供するようにしたシステムである。このようなシステム構成では、広告主のサーバにより携帯電話機からアクセスされた回数等を把握して、各種の宣伝効果を把握するための統計資料を作成しようとすると、広告主のサーバは複雑な処理を行なうためのプログラムを搭載する必要がある。【０００８】  このため、例えば、各地域における商店街の活性化のために、各商店（店舗）が広告主となって、ユーザの携帯電話機に店舗の広告等に関する情報を提供する情報提供システムを構築しようとすると、各店舗のサーバは簡単な携帯電話機用のＷｅｂページ等を備え、その他の複雑な処理を行なうためのプログラムは搭載しないようにすることが望ましい。この理由は、店舗等のソフト開発に要する費用等の負担は極力小さくすることが要求されるからである。【０００９】  このためには、ユーザの携帯電話機からの広告等の情報の要求を、インターネット上に接続された管理サーバに対して行なうようにし、アクセスされた管理サーバが広告主（店舗）のサーバをリンクさせて、リンクされた広告主のサーバが備えているＷｅｂページを、新たな情報として携帯電話機に表示させるようなシステムにするとよい。また、このようなシステムを構築すると、管理サーバの運営者は、広告主に、各種の情報提供サービスに対して対価（課金）の請求を行なって、収益を上げることが可能になると考えられる。【００１０】  そこで、本発明の目的は、ユーザの携帯電話機からの広告等の情報の要求を管理サーバに対して行ない、管理サーバはこの要求を受信すると、広告主のサーバにリンクして、広告主のサーバが携帯電話機に情報を提供するようなシステムにすることにより、広告主側に大きなソフト開発等の負担をかけることなく、店舗等の売上の向上等に貢献することができる携帯電話機を利用した情報提供システムを提供することにある。
【課題を解決するための手段】
【００１１】  本発明は、広告主から依頼された広告等の情報と、前記広告等の情報に対応して少なくとも管理サーバのＵＲＬ情報と前記広告主を識別する広告主識別情報とを含む２次元コードを掲載する広告媒体と、前記２次元コードを撮像して前記管理サーバをアクセスすることが可能な携帯電話機と、前記携帯電話機に新たな広告等の情報を提供する前記広告主のサーバと、から構成される情報提供システムであって、
前記管理サーバは、前記携帯電話機が前記管理サーバをアクセスすることにより取得した前記広告主識別情報に基づいて、
前記広告主識別情報ごとに、前記管理サーバのアクセスをアクセス度数の累計度数として加算する広告主別アクセス度数カウント手段と、
前記取得した広告主識別情報に対応する前記広告主のＷｅｂサーバのＵＲＬにリンクさせて、新たな広告等の情報を、前記アクセスした前記携帯電話機に表示させる通常サイト表示手段と、
を備えている携帯電話機を利用した情報提供システムである。【００１２】  さらに、本発明は、前記携帯電話機が前記管理サーバをアクセスしたときに取得した前記広告主識別情報に対応して加算された前記アクセス度数の累計度数が、予め設定されたアクセス上限度数を越えているときに前記管理サーバにより実行される手段であって、
前記管理サーバは、
前記アクセス度数の累計度数が前記アクセス上限度数を越えた広告主識別情報に対応する広告主のサーバのＵＲＬと、他の広告主のサーバのＵＲＬにリンクを張ったバナー広告付きのＷｅｂページを、前記アクセスした携帯電話機に表示させるバナー付きサイト表示手段を備えている携帯電話機を利用した情報提供システムである。【００１３】  さらに、本発明は、前記管理サーバは、前記携帯電話機が前記管理サーバをアクセスしたときに取得した前記広告主識別情報に対応して加算された前記アクセス度数の累計度数が、予め設定されたアクセス上限度数を越えているときに前記管理サーバにより実行される手段であって、
前記管理サーバは、
前記アクセスした前記携帯電話機に、前記アクセス度数の累計度数が予め設定したアクセス上限度数を越えた広告主識別情報に対応する広告主を除いた他の広告主のサーバのＵＲＬに、リンクを張ったバナー広告付きＷｅｂページを表示させるバナー付きサイト表示手段を備えている携帯電話機を利用した情報提供システムである。【００１４】  さらに、本発明は、前記管理サーバは、前記広告主識別情報ごとに加算された前記アクセス度数の累計度数が前記予め設定されたアクセス上限度数を越えるまでは、前記アクセス度数の累計度数に応じて、前記広告主識別情報に対応する広告主への課金を算出する課金算出手段を備えている携帯電話機を利用した情報提供システムである。【００１５】  さらに、本発明は、前記管理サーバは、前記広告主識別情報ごとに前記予め設定したアクセス上限度数を登録したデータベースと、前記広告主のサーバから前記データベースに登録された前記アクセス上限度数を変更するためのＷｅｂページを備えている携帯電話機を利用した情報提供システムである。【００１６】  さらに、本発明は、前記広告主のサーバのＵＲＬ、および前記他の広告主のサーバのＵＲＬは、ウェブログのＵＲＬにされている携帯電話機を利用した情報提供システムである。【００１７】  さらに、本発明は、前記広告主のＷｅｂサーバのＵＲＬ、および前記他の広告主のサーバのＵＲＬは、動画像を配信するためのＵＲＬにされている携帯電話機を利用した情報提供システムである。【００１８】  さらに、本発明は、前記管理サーバは、前記携帯電話機に表示された前記バナー広告付きＷｅｂページから前記他の広告主のサーバのＵＲＬがアクセスされると、
前記アクセス度数は、前記アクセスされた他の広告主のアクセス度数として加算して累計するようにした携帯電話機を利用した情報提供システムである。【００１９】  さらに、本発明は、前記２次元コードは、さらに、前記広告媒体を識別する広告媒体識別コードと、前記広告媒体の発行日と、前記広告媒体の発行元を識別する広告媒体発行元に関する情報の一つ以上を含んでいる携帯電話機を利用した情報提供システムである。【００２０】  さらに、本発明は、前記広告媒体に掲載された前記２次元コードは、前記アクセスした前記携帯電話機に表示させる新たな広告等の情報の属性に応じて、カラー色で表示されている携帯電話機を利用した情報提供システムである【００２１】  上記したアクセス度数とは、携帯電話機が管理サーバをアクセスした回数、または、予め設定された１アクセス当りの課金金額（課金単価）を示す。【００２２】  また、上記した新たな広告等の情報の属性とは、例えば、ウェブログのＵＲＬから提供される情報、クーポンに関する情報も得ることができる情報、販売キャンペーンに関する情報、動画が配信される等、ユーザの携帯電話機に提供される情報の種別を示す。そして、この情報の種別ごとに２次元コードをカラーで印刷して表示するようにしたものである。
【発明の効果】
【００２３】  本発明は、次のような効果を有している。
（１）ユーザが携帯電話機を操作して広告等の情報の提供を要求すると、携帯電話機は管理サーバをアクセスするようなシステムにしている。そして、アクセスされた管理サーバは、広告等の情報の提供を要求された情報を備えている広告主等のサーバにリンクさせて、この広告主等のサーバが備えているＷｅｂページ等の情報を携帯電話機に表示させるように制御している。このようなシステム構成にすると、広告主となる各種の店舗、飲食店、旅行代理店、学習塾を含む各種の教育機関、一般の企業等は、所有しているサーバに高度なソフト開発を行なわなくても本システムに参加して、宣伝効果や売上の向上を計ることが可能になる。【００２４】  （２）管理サーバは、広告主や広告媒体ごとに、ユーザの携帯電話機が管理サーバをアクセスした回数、すなわち、ユーザが各種の広告等の情報の閲覧を要求した回数を、広告主（店舗）別、あるいは広告媒体別に把握することができる。これにより、管理サーバの運営者は、ユーザが各種の広告等の情報の閲覧を要求した回数を分析したデータを広告主やメディア企業に提供することも可能になるので、広告等の情報の提供サービスと併せて、広告主やメディア企業に対価を請求して収益を上げることが可能になる。【００２５】  （３）本システムに参加している広告主について、ユーザの携帯電話機からの広告等の情報提供のアクセス回数に伴う度数が、例えば、月当りの上限度数を越えると、ユーザの携帯電話機には、他の広告主のバナー広告付きＷｅｂページを表示させるようにしている。そして、この代償として、月当りの上限度数を越えたアクセスについては、この広告主に課金しないか、課金を割り引くようにしているので、広告主に多額な課金が発生することを抑えることができるので、商店街の店舗等の広告主は安心して本システムの会員として参加することができるようになる。【００２６】  （４）本発明は、上記（１）〜（３）の特徴と効果を備えているので、安価、かつ単純なシステム構成になる。このため、本発明は、特に、地域の商店街の店舗が備えている店舗のパーソナルコンピュータからなるサーバと、本システムの管理運営者の管理サーバから構成されるシステム、特に、商店街の販売促進等を行なうための情報提供システムとして効果を上げることができる。
【発明を実施するための最良の形態】
【００２７】  以下、本発明を実施するための形態を図面に基づいて説明する。図１は、本発明を実施するためのシステム構成の一例を示す図である。図１において、１は、パーソナルコンピュータから構成される管理サーバである。管理サーバ１は、ハードディスク装置等の外部記憶装置を備えている。【００２８】  ２ａ、２ｂ、２ｃは、広告媒体である。広告媒体２ａ、２ｂ、２ｃは、広告主から依頼された広告等の情報を掲載した雑誌、各種の情報誌、新聞等の刊行物、チラシ広告等の印刷物である。広告媒体２ａ、２ｂ、２ｃには、広告主から依頼された広告等の情報と共に、ＱＲコード（登録商標）（以下、２次元コードという）３ａ、３ｂ、３ｃ、・・・が印刷されている。２次元コード３ａ、３ｂ、３ｃには、少なくとも、管理サーバ１のＵＲＬ（Ｕｎｉｆｏｒｍ  Ｒｅｓｏｕｒｃｅ  Ｌｏｃａｔｏｒ）と、広告等の情報の掲載を依頼した広告主を識別するための広告主識別情報（以下、広告主識別コードという）が含まれている。【００２９】  なお、上記した広告主とは、各種の店舗、飲食店、旅行代理店、学習塾を含む各種の教育機関、一般の企業等、あらゆる分野において広告や宣伝を行なうニーズを持っている業種が含まれる。【００３０】  また、２次元コード３ａ、３ｂ、３ｃは、上記した管理サーバ１のＵＲＬと広告主識別コードの他に、さらに、広告媒体２ａ、２ｂ、２ｃの種類を識別するための広告媒体識別情報（以下、広告媒体識別コードという）、広告媒体２ａ、２ｂ、２ｃの発行日（発行年月日あるいは発行年月等）、この広告媒体２ａ、２ｂ、２ｃを発行する企画や発行元となるメディア企業を識別するための情報（以下、メディア企業コードという）も、所定の順序で含むようにするとよい。なお、メディア企業コードには、このメディア企業に代わって広告業務を代行する広告代理店の企業コードを含むようにしてもよい。【００３１】  ４ａ、４ｂ、４ｃ、・・・は、本発明を利用する利用者（以下、ユーザという）の携帯電話機である。携帯電話機４ａ、４ｂ、４ｃは、２次元コード３ａ、３ｂ、３ｃを撮像するカメラ機能と、撮像した２次元コードの画像を解析して２次元コード３ａ、３ｂ、３ｃに含まれているＵＲＬ等を取り出し、さらに、このＵＲＬをアクセスするインターネット接続機能を備えている携帯電話機である。すなわち、本発明を利用するための携帯電話機４ａ、４ｂ、４ｃは、広告媒体２ａ、２ｂ、２ｃに印刷されている２次元コード３ａ、３ｂ、３ｃを撮像して、この２次元コード３ａ、３ｂ、３ｃに含まれているＷｅｂサーバ（Ｗｅｂサイト）のＵＲＬをアクセスするための機能を備えている必要がある。【００３２】  ５ａ、５ｂ、５ｃ、５ｄ、・・・は、上記した各広告主のサーバであって、パーソナルコンピュータから構成される。広告主のサーバ５ａ等は、携帯電話機４ａ、４ｂ、４ｃの画面に表示することができるＷｅｂページ、あるいは動画像等を含む画像データをファイルとして外部記憶装置に備えている。このＷｅｂページには、広告媒体２ａ、２ｂ、２ｃに掲載されている広告等の情報とは異なる、新たな広告等の情報が表示される。【００３３】  なお、本発明においては、このＷｅｂページは、ウェブログ（Ｗｅｂｌｏｇ）のページとして、日々新たに更新された情報を携帯電話機４ａ等に表示させることもできる。このように、ウェブログのページを提供すると、ユーザは常に最新の情報を取得することができるので、本発明のシステムを利用して、店舗等の最新の情報を得ようとする意識を高めることが可能になる。なお、広告主のサーバ５ａ等は、Ｗｅｂページを閲覧するためのソフトウエア（Ｗｅｂブラウザ）、および電子メール用のソフトウエア等を備えている。【００３４】  ６ａ、６ｂ、・・・は、広告媒体２ａ、２ｂ、２ｃを発行するメディア企業または広告代理店のサーバ（以下、メディア企業のサーバという）であって、パーソナルコンピュータから構成される。メディア企業のサーバ６ａ、６ｂは、Ｗｅｂページを閲覧するためのＷｅｂブラウザ、および電子メール用のソフトウエア等を備えている。【００３５】  上記した管理サーバ１、広告主のサーバ５ａ、５ｂ、５ｃ、５ｄ、メディア企業のサーバ６ａ、６ｂは、各地に設立されているインターネット・サービス・プロバイダ７を介してインターネット８に接続されている。なお、ユーザの携帯電話機４ａ、４ｂ、４ｃは、携帯電話機のサービス会社の地上基地局９を介してインターネット８に接続されている。【００３６】  本発明のシステムを構成する管理サーバ１は、ユーザが広告媒体２ａ、２ｂ、２ｃに掲載されている広告情報等を読んで、さらに、新たな詳細な広告等の情報を携帯電話機４ａ、４ｂ、４ｃの画面で閲覧するための操作を行なったときに、この新たな広告等の情報の要求のアクセスを受付ける機能と、広告主のサーバ５ａ等に対して要求された広告等の情報を携帯電話機４ａ等に提供させるための制御機能と、広告主やメディア企業に各種のマーケッティング統計資料を提供する機能を備えている。
これにより、前記したように、管理サーバ１を管理運営する運営者は、広告主に、ユーザの携帯電話機４ａ、４ｂ、４ｃへの広告等の情報提供サービス、およびマーケッティング統計情報の提供サービスに対して、その対価を請求することが可能になる。【００３７】  なお、本発明のシステムを構築して稼動させるためには、例えば、管理サーバ１の運営者は、本システムに参加する広告主、広告媒体２ａ、２ｂ、２ｃを発行するメディア企業あるいは広告代理店を募集する必要がある。そして、本システムに参加の契約を行なった広告主とメディア企業については、管理サーバ１の運営者は、これら広告主とメディア企業、広告代理店に関する情報を後記する管理サーバ１が備えているデータベースに登録する。なお、本システムに参加する広告主、メディア企業、広告代理店の募集は、管理サーバ１がインターネット８上に公開する募集用のＷｅｂページを利用してもよい。【００３８】  本発明のシステムは、主として次の三つの特徴を備えている。
第１の特徴は、上記した広告主への対価（課金）は、広告主ごとに、携帯電話機４ａ、４ｂ、４ｃから管理サーバ１に新たな広告等の情報の提供依頼に対するアクセスが発生するごとに、たとえば、月単位でアクセスの累計度数（アクセス累計度数）を算出し、このアクセス累計度数に応じて課金を算出するようにしたことにある。このアクセス度数とは、予め広告主ごとに設定された１アクセス当りの課金単価を示す。【００３９】  第２の特徴は、アクセス累計度数が予め設定したアクセス上限度数、例えば、月当りのアクセス上限度数を超えた広告主に対して、携帯電話機４ａ、４ｂ、４ｃから新たな広告等の情報の閲覧要求が発生すると、管理サーバ１は、他の広告主のバナー広告、例えば、店舗名や企業名を掲載したＷｅｂページを携帯電話機４ａ、４ｂ、４ｃの表示画面に表示させることにある。さらに、携帯電話機４ａ、４ｂ、４ｃの表示画面に表示したバナー広告は、この広告主のサーバにリンクされるようにしている。従って、ユーザがバナー広告をクリックする操作を行なうと、この広告主のＷｅｂページがアクセスされて、新たな広告等の情報が携帯電話機４ａ、４ｂ、４ｃの表示画面に表示されることになる。【００４０】  第３の特徴は、上記した第２の特徴において、ユーザが他の広告主のバナー広告をクリックすると、このクリックされた広告主に対する当月のアクセス累計度数に課金単価を加算する処理を行なって、アクセスされた広告主に課金する処理を行なうようにしていることにある。【００４１】  続いて、本発明を実施するために管理サーバ１が備えているプログラムの構成とその処理機能について説明する。管理サーバ１が備えているプログラムは、主としてプログラム言語ＰＨＰ（Ｐｅｒｓｏｎａｌ  Ｈｏｍｅ  Ｐａｇｅ）、Ｐｅｒｌ（Ｐｒａｃｔｉｃａｌ  Ｅｘｔｒａｃｔｉｏｎ  ａｎｄ  Ｒｅｐｏｒｔ  Ｌａｎｇｕａｇｅ），Ｊａｖａ（登録商標）等を用いて開発することができる。図２は、管理サーバ１が備えているプログラムとデータベース（データテーブル）の構成の一例を示している。【００４２】  図２に示すように、管理サーバ１は、２次元コードデータ取得・解析プログラムＰ１、アクセスログの登録プログラムＰ２、広告主別アクセス度数カウントプログラムＰ３、通常サイト表示プログラムＰ４、バナー付きサイト表示プログラムＰ５、課金算出プログラムＰ６、統計資料作成プログラムＰ７、データベース作成・更新プログラムＰ８、２次元コード作成プログラムＰ９、その他のソフトウエアＰ１０としてＷｅｂブラウザ、メール用ソフトウエア等を備えている。【００４３】  また、データベースとして、登録企業データベースＤ１、登録メディア企業データベースＤ２、広告媒体データテーブルＤ３、登録企業別管理データテーブルＤ４、アクセスログデータテーブルＤ５を備えている。これらのデータベースは、管理サーバ１のハードディスク装置等の外部記憶装置に記憶されている。これらデータベ−スのデータ構成の概要を図３〜図７に示している。【００４４】  ２次元コードデータ取得・解析プログラムＰ１は、ユーザが携帯電話機４ａ、４ｂ、４ｃを用いて２次元コード３ａ等を撮像して管理サーバ１のＵＲＬをアクセスしたときに、管理サーバ１に送信された２次元コードに含まれているデータを解析し、広告主識別コード、広告媒体識別コード、広告媒体の発行日、メディア企業コードのデータを取り出す処理を行なうプログラムである。２次元コードに含まれているデータからこれら広告主識別コード等のデータを取り出す処理は、広告主識別コード等に予め所定の桁数を設定しておくことにより可能になる。【００４５】  アクセスログの登録プログラムＰ２は、携帯電話機４ａ、４ｂ、４ｃが２次元コード３ａ、３ｂ、３ｃを撮像して管理サーバ１のＵＲＬをアクセスしたときに、そのアクセスの実績ログを図７に示すアクセスログ登録データテーブルＤ５に順次記録する処理を行なうためのプログラムである。このアクセスのログデータとしては、図７に示すように、アクセス時刻（年月日、時分秒）、ユーザが新たな広告等の情報を要求した広告主識別コード、広告媒体識別コード、メディア企業コード、等が記録される。【００４６】  広告主別アクセス度数カウントプログラムＰ３は、ユーザが携帯電話機４ａ、４ｂ、４ｃから新たな広告等の情報を要求した広告主識別コードごとに、管理サーバ１をアクセスした度数をカウントするためのプログラムである。このアクセス度数とは、前記したように、携帯電話機が管理サーバをアクセスした回数、または、予め設定された１アクセス当りの課金単価を示す。アクセス度数カウントプログラムＰ３は、アクセスが発生するごとにアクセス度数（課金単価Ｄ４６）を、図６に示す登録企業別管理データテーブルＤ４の該当する広告主識別コードのアクセス累計度数の欄Ｄ４２に、例えば、月単位に当月のアクセス累計度数として加算して記憶する処理を行なう。アクセス度数カウントプログラムＰ３の処理内容は、広告主別アクセス度数カウント手段となる。【００４７】  通常サイト表示プログラムＰ４は、携帯電話機４ａ、４ｂ、４ｃが新たな広告等の情報を要求して管理サーバ１のＵＲＬをアクセスしたときに、例えば、この新たな広告等の情報を要求された広告主識別コードの当月のアクセス累計度数が予め設定したアクセス上限度数に達していないときに実行されるプログラムである。なお、このアクセス上限度数は、登録企業別管理データテーブルＤ４のアクセス上限度数の欄Ｄ４１に予め広告主識別コードごとに登録しておく。また、このアクセス上限度数Ｄ４１は、予め、１ケ月単位、あるいは１年等の単位で広告主との契約により設定される。通常サイト表示プログラムＰ４の処理内容は、通常サイト表示手段となる。【００４８】  上記した当月のアクセス累計度数Ｄ４２が予め設定したアクセス上限度数Ｄ４１に達していない場合には、通常サイト表示プログラムＰ４は、携帯電話機４ａ、４ｂ、４ｃから取得した広告主識別コードに対応する広告主のサーバ５ａ、５ｂ、５ｃのいずれかに、これらのサーバが備えている新たな広告等の情報を掲載するＷｅｂページ、または動画像等を要求した携帯電話機４ａ、４ｂ、４ｃに表示させる制御を行なう。【００４９】  バナー付きサイト表示プログラムＰ５は、広告主識別コードの当月のアクセス累計度数Ｄ４２が予め設定したアクセス上限度数Ｄ４１を超えたときに実行されるプログラムである。本発明において、バナー付きサイト表示プ��グラムＰ５は、次の（処理１）〜（処理２）に記載の処理を実行する。なお、バナー付きサイト表示プログラムＰ５の処理内容は、バナー付きサイト表示手段となる。【００５０】（処理１）
管理サーバ１が広告主識別コードごとに予め備えているバナー広告付きＷｅｂページを、新たな広告等の情報の要求を行なった携帯電話機４ａ、４ｂ、４ｃの表示画面に表示させる処理を行なう。このナー広告付きＷｅｂページの一例を図９に示している。【００５１】  図９に示す画面例においては、表示領域ｈ１に、携帯電話機４ａ、４ｂ、４ｃが新たな広告等の情報の要求を行なって管理サーバ１が取得した広告主識別コードに対応する店舗名等、例えば、「カフェ○○○」の店舗名であるバナー広告を表示している。さらに、表示領域ｈ２には、他の四つの店舗名である「ＡＡＡ店」、「Ｂコーヒ店」、「ＣＣＣ店」、「ＤＤコーヒ」のバナー広告を表示している。この他の四つの店舗名は、例えば、新たな広告等の情報の要求を行なったときに取得した広告主識別コードに対応する店舗と同業の店舗名の一つまたは複数を、関連サイトとして表示した例である。なお、この他の四つの店舗名に関する広告主識別コードを、図６に示す登録企業別管理データテーブルＤ４の「バナー付広告掲載時の広告主識別コード」の欄Ｄ４４に予め登録しておき、バナー付きサイト表示プログラムＰ５は、この登録企業別管理データテーブルＤ４を参照して、表示領域ｈ２にバナー広告を表示する処理を行なうようにする。また、メディア企業のバナー広告を表示するときは、同様に、登録企業別管理データテーブルＤ４の「バナー付広告掲載時のメディア企業識別コード」の欄Ｄ４５に、メディア企業の識別コードを予め登録しておく。【００５２】（処理２）
図９の表示領域ｈ１、ｈ２に表示されているバナー広告である店舗名を表示するプログラム内には、バナー広告の広告主の広告主識別コードが埋め込まれている。従って、ユーザがバナー広告のいずれかを携帯電話機のキー操作によりクリックすると、バナー付きサイト表示プログラムＰ５は、クリックした店舗名（または企業名等）に対応する広告主の広告主識別コードを取得することができる。そして、バナー付きサイト表示プログラムＰ５は、広告主識別コードを取得すると、登録企業データテーブルＤ１を参照して該当する広告主識別コードのＷｅｂページのＵＲＬ（Ｄ１２）を求める処理を行なう。これにより、管理サーバ１は、この広告主識別コードに対応する広告主のサーバ５ａ、５ｂ、５ｃ、・・５ｄのいずれかをリンクすることができるので、リンクされた広告主のサーバのＷｅｂページが、携帯電話機４ａ、４ｂ、４ｃの画面に表示されることになる。【００５３】  これにより、ユーザが表示領域ｈ２に表示されているバナー広告をクリックすると、表示領域ｈ１に表示されているバナー広告の広告主の業種と関連する関連サイトをアクセスすることが可能になり、要求した情報と関連する他の店舗等に関する新たな広告等の情報を要求することができるようになる。なお、ユーザが表示領域ｈ２に表示されているバナー広告のいずれかをクリックすると、バナー付きサイト表示プログラムＰ５は、上記したように、広告主識別コードを取得することができるので、この広告主識別コードの当月のアクセス累計度数Ｄ４２に課金単価Ｄ４５を加算する処理を行なう。【００５４】  また、ユーザが図９に示す表示領域ｈ１に表示されているバナー広告「カフェ○○○」をクリックすると、バナー付きサイト表示プログラムＰ５は、登録企業データテーブルＤ１を参照してこのバナー広告主のホームページのＵＲＬ（Ｄ１３）を取得して、携帯電話機４ａ等に、この広告主のサーバ５ａ等のホームページを表示させるように制御する。【００５５】  なお、上記（処理１）において、バナー広告付きＷｅｂページを新たな広告等の情報の要求を行なった携帯電話機４ａ、４ｂ、４ｃに表示させる処理を行なうときに、図１０に示すようなバナー広告付きＷｅｂページを表示させるようにしてもよい。図１０に示す例は、表示領域ｈ１にはユーザが２次元コードを撮像した広告媒体の発行元となるメディア企業名を表したバナー広告（「タウン情報ＹＹＹ」）を表示し、表示領域ｈ２には、携帯電話機４ａ、４ｂ、４ｃが新たな広告等の情報の要求を行なったときに取得した広告主識別コードに対応する店舗名等（例えば、「カフェ○○○」のバナー）を表示している。【００５６】  そして、ユーザが図１０の表示領域ｈ１に表示されているバナー広告をクリックすると、バナー付サイト表示プログラムＰ５は、このバナー広告の広告主識別コードのアクセス累計度数Ｄ４２に課金単価を加算するする処理を行なうと共に、例えば、このメディア企業のＷｅｂサイトをアクセスするように制御して、携帯電話機４ａ等に、図１１に示すような情報検索を行うためのＷｅｂページを表示させるようにする。
また、ユーザが表示領域ｈ２に表示されているバナー広告（「カフェ○○○」）をクリックすると、上記と同様に、バナー付きサイト表示プログラムＰ５は、登録企業データテーブルＤ１を参照してこのバナー広告主のホームページのＵＲＬ（Ｄ１３）を取得して、携帯電話機４ａ等に、この広告主のサーバ５ａ等のホームページを表示させるように制御する。【００５７】  続いて、ユーザの携帯電話機４ａ、４ｂ、４ｃが、２次元コードを撮像して管理サーバ１をアクセスしたときの管理サーバ１の処理手順を、図８に示すフローチャートに基づいてステップ順に説明する。【００５８】（ステップＳ１）
ユーザが携帯電話機４ａ、４ｂ、４ｃを用いて広告媒体２ａ等に印刷されている２次元コードを撮像して管理サーバ１のＵＲＬをアクセスすると、２次元コードデータ取得・解析プログラムＰ１は、携帯電話機４ａ等から取得した２次元コードに含まれているデータを解析して、広告主識別コード、広告媒体識別コード、この広告媒体の発行日、メディア企業コードに関するデータを取り出して記憶装置に記憶する。これらのデータは予め所定の桁数を有するように設定され、２次元コード内に所定の順序で表されているので、プログラム処理により各データを識別して取り出すことができる。【００５９】（ステップＳ２）
アクセスログの登録プログラムＰ２により、携帯電話機４ａ等が管理サーバ１をアクセスして取得したログ情報をアクセスログ登録データテーブルＤ５に記録する。アクセスログ登録データテーブルＤ５に記録するデータは、図７に示すように、アクセス時刻、広告主識別コード、メディア企業コード、広告媒体識別コード等に関するデータである。アクセスログ登録データテーブルＤ５には、携帯電話機４ａ等が管理サーバ１をアクセスした順に、これらのデータが順次記憶される。【００６０】  続いて、アクセス度数カウントプログラムＰ３により、携帯電話機４ａ等から取得した広告主識別コードについて、登録企業別管理データテーブルＤ４の該当する当月のアクセス累計度数Ｄ４２に課金単価Ｄ４６を加算して記憶する処理を行なう。【００６１】（ステップＳ３）
アクセス度数カウントプログラムＰ３は、ステップＳ２によりカウント処理した広告主識別コードの当月のアクセス累計度数Ｄ４２が、予めこの広告主識別コードに設定されているアクセス上限度数Ｄ４１を超えたか否かを判定する。この判定処理は、登録企業別管理データテーブルＤ４のアクセス上限回数Ｄ４１と当月のアクセス累計回数Ｄ４２とを比較することにより可能となる。そして、広告主識別コードの当月のアクセス累計回数Ｄ４２がアクセス上限回数Ｄ４１を超えていない場合には、ステップＳ４に進む。一方、アクセス上限回数Ｄ４１を超えた場合には、ステップＳ５に進む。【００６２】（ステップＳ４）
通常サイト表示プログラムＰ４は、携帯電話機４ａ、４ｂ、４ｃから取得した広告主識別コードに基づいて、登録企業データテーブルＤ１を参照してこのデータテーブルＤ１に登録されているＷｅｂページのＵＲＬ（Ｄ１２）を求める。これにより、管理サーバ１は、広告主識別コードに対応する広告主のサーバ５ａ、５ｂ、５ｃのいずれかに、これらのサーバが備えている新たな広告等の情報を掲載するＷｅｂページを、要求した携帯電話機４ａ、４ｂ、４ｃに表示させることができる。【００６３】（ステップＳ５）
バナー付きサイト表示プログラムＰ５は、管理サーバ１が広告主識別コードごとに予め備えているバナー広告付きＷｅｂページを新たな広告等の情報の要求を行なった携帯電話機４ａ等の表示画面に表示させる処理を行なう。このバナー広告付きＷｅｂページの一例は、前記したように図９に示す画面になる。【００６４】  なお、このバナー広告付きＷｅｂページにバナー広告を掲載（表示）する店舗名等は、登録企業別管理データテーブルＤ４の「バナー付広告掲載時の広告主識別コード」の欄Ｄ４４に予め登録されている広告主識別コードを参照して、この広告主識別コードについて登録企業別データテーブルＤ１に登録されている広告主の名称Ｄ１１を取り出して、この広告主の名称をバナー広告付きＷｅｂページのプログラムに書き込むようにする。このとき、バナー広告として掲載の対象となる広告主識別コードの現在のアクセス累計度数Ｄ４２がアクセス上限度数Ｄ４１を超えているか否かを判定し、超えている場合には、バナー広告付きＷｅｂページにこの広告主識別コードに対応する店舗名等をバナー広告として掲載しない処理を行なう。
また、前記したように、バナー広告付きＷｅｂページにバナー広告を掲載するための言語内には、広告主の広告主識別コードを埋め込むようにする。【００６５】（ステップＳ６）（ステップＳ７）
ステップＳ６においては、バナー付きサイト表示プログラムＰ５により、ユーザがバナー広告付きＷｅｂページに表示されているバナー広告のいずれかをクリックすると、バナー広告を掲載するための言語内に埋め込まれている広告主の広告主識別コードを取得する処理を行なう。なお、ユーザが新たな情報の表示を行なわない場合には、バナー広告付きＷｅｂページに表示されている「終了」をクリックするか、あるいは、携帯電話機４ａ等の電源をＯＦＦする。【００６６】（ステップＳ８）
バナー付きサイト表示プログラムＰ５は、この取得した広告主識別コードに基づいて、登録企業別管理データテーブルＤ４の該当する当月のアクセス累計度数Ｄ４２に課金単価を加算して、データテーブルＤ４に記憶する処理を行なう。【００６７】（ステップＳ９）
この広告主識別コードを取得すると、バナー付きサイト表示プログラムＰ５は、登録企業データテーブルＤ１を参照して、取得した広告主識別コードに対応して登録されているＷｅｂページのＵＲＬ（Ｄ１２）を求める処理を行なう。これにより、ユーザがクリックしたバナー広告に対応する広告主のＷｅｂページにリンクされるので、ユーザの携帯電話機４ａ等に、新たな広告等の情報を表示させることができる。【００６８】  なお、本発明において、登録企業データテーブルＤ１のＷｅｂページのＵＲＬの欄Ｄ１２に、ウェブログのＵＲＬを登録しておくと、広告主のサーバ５ａ等に設けられているウェブログサイトに記載されている情報を携帯電話機４ａ等に表示させることができる。
同様に、本発明において、広告主のサーバ５ａ等の外部記憶装置に携帯電話機で閲覧可能な動画像ファイルを記憶しておき、登録企業データテーブルＤ１に登録されたこの広告主に関する情報のＷｅｂページのＵＲＬの欄Ｄ１２に、この動画像ファイルをアクセスするためのＵＲＬを登録しておくと、携帯電話機４ａ等に動画像を表示させることができるようになる。【００６９】  図８のフローチャートには示していないが、課金算出プログラムＰ６は、登録企業別管理データテーブルＤ４に広告主識別コードごとに記録している当月のアクセス累計度数Ｄ４２のデータに基づいて、例えば、毎月の月末に、広告主識別コードごとに課金を算出する。そして、管理サーバ１の運営者は、この広告主識別コードが設定されている広告主に広告等の情報提供サービスに対する手数料の請求を行なう。この月当たりの課金の算出は、広告主識別コードごとに予め設定している月当たりのアクセス上限度数までの課金を請求するようにする。また、アクセス上限度数を超えた度数については、課金を割り引く処理を行なうようにしてもよい。なお、課金算出プログラムＰ６の処理内容は、課金算出手段となる。【００７０】  図２に示す統計資料作成プログラムＰ７は、登録企業別管理データテーブルＤ４により把握している当月のアクセス累計度数Ｄ４２、広告媒体識別コード別のアクセス累計度数Ｄ４３のデータ等を基にして、各種のマーケティング用の資料を作成するためのプログラムである。これらの資料は、広告主のサーバ５ａ等、およびメディア企業のサーバ６ａ、６ｂから管理サーバ１をアクセスすることにより閲覧可能にする。また、登録企業別管理データテーブルＤ４は、データベース作成・更新プログラムＰ８により、例えば、月ごとに作成し、１ケ月が経過すると、登録企業別管理データテーブルＤ４は、管理サーバ１の外部記憶装置に保存しておくようにする。【００７１】  統計資料作成プログラムＰ７により作成する統計資料としては、少なくとも、広告主別のアクセス回数表と広告媒体別のアクセス回数表を作成するようにする。なお、アクセス回数は、アクセス累計度数Ｄ４２を課金単価で除算することにより求めることができる。上記した広告主別のアクセス回数表は、広告主別に広告媒体別のアクセス回数を月別に集計した資料である。また、広告媒体別のアクセス回数表は、広告媒体別に広告主別のアクセス回数を月別に纏めた資料である。【００７２】  なお、上記ステップＳ３の処理において、広告主識別コードの当月のアクセス累計度数Ｄ４２が予めこの広告主識別コードに設定されているアクセス上限度数Ｄ４１を超えた場合、管理サーバ１は、広告主識別コードごとに予め備えているバナー広告付きＷｅｂページを新たな広告等の情報の要求を行なった携帯電話機４ａ等の表示画面に表示させる処理（ステップＳ５）を行なうようにした例について説明したが、管理サーバ１は、次の処理を行なうようにしてもよい。【００７３】  すなわち、バナー付きサイト表示プログラムＰ５は、例えば、他の広告主のサーバ５ａ等、あるいはメディア企業のサーバ６ａに対して、これらのサーバが備えているバナー広告付きＷｅｂページを広告等の情報の要求を行った携帯電話機４ａ等に表示させる��うな制御を行なう。図１１は、メディア企業のサーバ６ａ等が備えているバナー広告付きＷｅｂページを携帯電話機４ａ等の表示画面に表示した表示例を示している。【００７４】  図１１に示すバナー広告付きＷｅｂページは、表示領域ｈ１には、このメディア企業が発行している広告媒体２ａ等の名称を表示したバナー広告を表示している。また、表示領域ｈ２には、このメディア企業が携帯電話機用に情報提供のサービスを行なっているＷｅｂページを検索するためのメニューを表示し、さらに、表示領域ｈ３には、管理サーバ１が携帯電話機４ａ、４ｂ、４ｃから新たな広告等の情報の要求を受信したときに取得した広告主識別コードに対応する店舗名と、この店舗に関する情報を表示した画面である。そして、ユーザが携帯電話機４ａ、４ｂ、４ｃの表示領域ｈ２に表示されているメニューのいずれかをクリックすると、メディア企業のサーバ６ａ等の管理プログラムは、クリックされたメニューに対応して登録している店舗名等の一覧を表示し、ユーザが表示された店舗名の一つをクリックすると、クリックした店舗に関する広告等の情報を掲載したＷｅｂページを表示させるようにする。管理サーバ１がユーザの携帯電話機４ａ等にこのようなバナー広告付きＷｅｂページを表示させるように制御すると、ユーザは、新たにお気に入りの情報を検索して取得するという楽しみが生じる。【００７５】  なお、本発明においては、管理サーバ１に２次元コード３ａ等を作成するプログラムＰ９を備えておき、このプログラムＰ９で作成した２次元コードをビットマップ情報の形式で、電子メールの添付ファイルとして該当するメディア企業のサーバ６ａ、６ｂに転送するようにしてもよい。そして、メディア企業は、メールで受信した２次元コードのビットマップデータを、広告媒体２ａ、２ｂ、２ｃに印刷するようにする。なお、２次元コード３ａ等を作成するプログラムＰ９は、現在一般に使用されているＱＲコード（登録商標）作成プログラムを使用することができる。【００７６】  上記のように、管理サーバ１で２次元コードを作成し、作成した２次元コードを各メディア企業のサーバ６ａ、６ｂに送信するためには、管理サーバ１は、２次元コードの作成依頼のＷｅｂページをメディア企業専用に設けるようにする。そして、メディア企業はこのＷｅｂページをアクセスして、パスワードを入力した後、広告媒体データテーブルＤ３に登録するデータ項目である広告媒体識別コード、広告媒体の名称、メディア企業コード、発行日、有効期限、等に関するデータを入力して、管理サーバ１に送信する。そして、管理サーバ１の運営者は、２次元コードの作成依頼のＷｅｂページから取得したデータに基づいて、２次元コード作成プログラムＰ９により２次元コードをビットマップ形式で作成するようにするとよい。【００７７】  なお、２次元コードをビットマップ形式で作成するときに、ユーザの携帯電話機に表示させる新たな広告等の情報の属性に応じて、カラー色で表現した２次元コード作成して、広告媒体２ａ等に印刷して表示させることができる。カラー色で表現した２次元コードとは、従来の２次元コードは黒色と白色が用いられているが、この黒色に相当する部分をカラーで表示することを示す。２次元コードを白と、黒を除いた他の一色との組合せであって、両者のコントラストが明確であれば、２次元コードをカラーで表示しても携帯電話機で正常に読み取ることができる。なお、ビットマップ形式で作成した２次元コードを任意のカラー色で表現するためには、２次元コード作成プログラムＰ９で作成したビットマップ形式の２次元コードデータを、市販の画像処理プログラムにより任意のカラー色で表現することができる。【００７８】  上記した広告等の情報の属性とは、ウェブログのＵＲＬから提供される情報、クーポンに関する情報も得ることができる情報、販売キャンペーンに関する情報、動画が配信される等、情報の種別を示す。例えば、ウェブログのＵＲＬから提供される情報については、例えば、赤色に統一した２次元コードを印刷し、動画が配信される情報については、緑色に統一した２次元コードを印刷するようにする。
このように、広告媒体２ａ等にカラーの２次元コードを印刷すると、ユーザは提供される情報の種別が一目で判別でき、かつ、印刷の見栄えも向上するので、本発明のシステムを利用して情報を得たいというユーザ数の増加が期待できる。
【図面の簡単な説明】
【００７９】
【図１】  本発明のシステム構成の一例を説明するための図である。
【図２】  図１に示す管理サーバが備えているソフトウエア、およびデータベースの構成を説明するための図である。
【図３】  管理サーバが備えているデータベースのうち、登録企業データテーブルのデータ項目を説明するための図である。
【図４】  管理サーバが備えているデータベースのうち、登録メディア企業データテーブルのデータ項目を説明するための図である。
【図５】  管理サーバが備えているデータベースのうち、広告媒体データテーブルのデータ項目を説明するための図である。
【図６】  管理サーバが備えているデータベースのうち、登録企業別管理データテーブルのデータ項目を説明するための図である。
【図７】  管理サーバが備えているデータベースのうち、アクセスログ登録データテーブルのデータ項目を説明するための図である。
【図８】  携帯電話機が管理サーバをアクセスしたときに、管理サーバの処理手順を説明するためのフローチャートである。
【図９】  本発明において、携帯電話機に表示されるＷｅｂページの一例を説明するための図である。
【図１０】  本発明において、携帯電話機に表示されるＷｅｂページの他の一例を説明するための図である。
【図１１】  本発明において、携帯電話機に表示されるＷｅｂページの他の一例を説明するための図である。
【符号の説明】
【００８０】１  ：管理サーバ
２ａ、２ｂ、２ｃ：広告媒体
３ａ、３ｂ、３ｃ：２次元コード
４ａ、４ｂ、４ｃ：携帯電話機
５ａ、５ｂ、５ｃ、５ｄ：広告主のサーバ
６ａ、６ｂ：メディア企業のサーバ
８  ：インターネット
Ｄ１：登録企業データテーブル
Ｄ２：登録メディア企業データテーブル
Ｄ３：広告媒体データテーブル
Ｄ４：登録企業別データテーブル
Ｄ５：アクセスログ登録データテーブル
Ｐ１：２次元コードデータ取得・解析プログラム
Ｐ３：アクセス度数カウントプログラム
Ｐ４：通常サイト表示プログラム
Ｐ５：バナー付きサイト表示プログラム
Ｐ６：課金プログラム
Ｐ９：２次元コード作成プログラム
【図１】
2006323798.tif 000003
【図２】
2006323798.tif 000004
【図３】
2006323798.tif 000005
【図４】
2006323798.tif 000006
【図５】
2006323798.tif 000007
【図６】
2006323798.tif 000008
【図７】
2006323798.tif 000009
【図８】
2006323798.tif 000010
【図９】
2006323798.tif 000011
【図１０】
2006323798.tif 000012
【図１１】
2006323798.tif 000013